(57)【特許請求の範囲】
【請求項１】
タブレット状の収容物を収容し、一対の側壁、前後壁、及び底面によって囲まれた矩形形状の収容部を有する収容体と、
前記収容体に対して相対的にスライド移動可能な蓋体と、
前記収容体と蓋体に設けられ、蓋体を収容体に対して開方向にスライドした際、蓋体のスライド位置を規制する開放位置規制手段と、
前記収容部の底面に一体形成され、前記蓋体がスライドして前記開放位置規制手段によって開放位置が規制された際、前記収容部を構成する側壁と前壁とで囲まれて１粒の収容物の存在を許容する取り出し開口領域を形成する仕切りと、
前記収容部の底面に形成され、前記取り出し開口領域に向けて１粒の収容物を案内可能とする傾斜案内部と、
前記仕切りと蓋体に設けられ、蓋体を収容体に対して閉方向にスライドした際、蓋体の閉鎖位置を維持する閉鎖位置維持手段と、
を有することを特徴とするタブレットケース。
【請求項２】
前記傾斜案内部は、複数のリブの表面に形成されており、前記リブの表面には、前記取り出し開口領域に、傾斜案内部と連続して平坦部が形成されていることを特徴とする請求項１に記載のタブレットケース。
【請求項３】
前記収容部の両側壁に、開口領域側にフランジを有する凹所を形成したことを特徴とする請求項１又は２に記載のタブレットケース。
【発明の詳細な説明】
【技術分野】
【０００１】
本発明は、タブレット状の薬品、栄養補助食品、菓子等を収容するタブレットケースに関する。
【背景技術】
【０００２】
従来、上記したようなタブレット状の収容物を収容するタブレットケースとして、特許文献１に開示されたものが知られている。この公知のタブレットケースは、矩形の収容体と、略コの字型の蓋体とを備えており、収容体と蓋体とを摘んで、相対的にスライドさせることで、収容物を取り出すことが可能となっている。
【０００３】
この場合、収容体と蓋体には、蓋体を開放側に向けてスライド移動させた際、蓋体のスライド位置を規制する開放位置規制部材が設けられており、蓋体の規制位置において、１粒の収容物が取り出せる程度の開口が生じるようになっている。そして、この状態で収容体を傾けたり、振ったりすることで、開口から１粒の収容物が取り出せるようになっている。
【０００４】
また、特許文献２には、収容体の両側面の端部に連続した凹凸を形成して、指を引っ掛け易くしたタブレットケースが開示されている。このような凹凸を形成しておくことで、収容体と蓋体のスライド操作が容易に行えるようになる。
【特許文献１】実用新案登録第３０１３７７６号
【特許文献２】特開２００７−６９９６３号
【発明の開示】
【発明が解決しようとする課題】
【０００５】
しかし、上記したような公知のタブレットケースは、１粒ずつの取り出しを考慮した構成となっていても、実際の取り出し操作時には、開口から一度に２〜３粒が出てしまうことが多く、使用者は、飛び出した収容物を再び収容体側に戻す操作をしなければならず、取り扱い性に劣ってしまう。また、一度、手にした収容物を再び収容体に戻すことは、衛生上、問題が生じる可能性もある。さらに、上記した特許文献２に開示されているような凹凸は、指を引っ掛けた際、指が開口領域に位置して収容物に接触する可能性もあり、やはり衛生上、問題が生じる可能性もある。
【０００６】
本発明は、上記した事情に着目してなされたものであり、１回の操作で確実に１粒ずつの収容物の取り出し操作が可能なタブレットケースを提供することを目的とする。
【課題を解決するための手段】
【０００７】
上記した目的を達成するために、請求項１に係るタブレットケースは、タブレット状の収容物を収容し、一対の側壁、前後壁、及び底面によって囲まれた矩形形状の収容部を有する収容体と、前記収容体に対して相対的にスライド移動可能な蓋体と、前記収容体と蓋体に設けられ、蓋体を収容体に対して開方向にスライドした際、蓋体のスライド位置を規制する開放位置規制手段と、前記収容部の底面に一体形成され、前記蓋体がスライドして前記開放位置規制手段によって開放位置が規制された際、前記収容部を構成する側壁と前壁とで囲まれて１粒の収容物の存在を許容する取り出し開口領域を形成する仕切りと、前記収容部の底面に形成され、前記取り出し開口領域に向けて１粒の収容物を案内可能とする傾斜案内部と、前記仕切りと蓋体に設けられ、蓋体を収容体に対して閉方向にスライドした際、蓋体の閉鎖位置を維持する閉鎖位置維持手段とを有することを特徴とする。
【０００８】
上記したタブレットケースによれば、収容物を取り出すべく、蓋体を収容体に対して開方向にスライド移動し、開放位置規制手段による開放位置に停止させた際、取り出し開口領域には、傾斜案内部によって１粒の収容物を位置させておくことが可能となる。すなわち、取り出し操作時において、開口部分に移動する収容物を、前記傾斜案内部によって１粒に制限することが可能となるため、収容体を傾けたり、振ったりした際、複数の収容物が飛び出ることを防止することが可能となる。
【０００９】
また、請求項２に係る発明においては、前記傾斜案内部は、複数のリブの表面に形成されており、前記リブの表面には、前記取り出し開口領域に、傾斜案内部と連続して平坦部が形成されていることを特徴とする。
【００１０】
このようなリブは、収容体の底面に一体形成することが可能となり、取り出し開口領域の平坦部に向けて１粒の収容物を移行させる構造が簡略化されると共に、成型用の材料を少なくすることが可能となる。
【００１１】
また、請求項３に係る発明においては、前記収容体の両側面に、開口領域側にフランジを有する凹所を形成したことを特徴とする。
【００１２】
このような凹所を形成することで、収容物の取り出し操作時に、指の腹部を位置させることができ、また、フランジ部分によって開口領域に位置している収容物の指の接触を抑制することが可能となり、衛生面での向上が図れるようになる。
【発明の効果】
【００１３】
本発明によれば、１回の操作で確実に１粒ずつの収容物の取り出し操作が可能となるタブレットケースが得られる。
【発明を実施するための最良の形態】
【００１４】
以下、図面を参照しながら、本発明に係るタブレットケースの一実施形態について、図１から図４を参照して説明する。なお、これらの図において、図１は全体構成を示す斜視図、図２は収容体の構成を示す図であって、（ａ）は平面図、（ｂ）は側面図、（ｃ）は図（ａ）のＡ−Ａ線に沿った断面図、図３は蓋体の構成を示す図であって、（ａ）は側面図、（ｂ）は裏面図、（ｃ）は正面図、そして、図４は蓋体の構成を示す図であって、（ａ）は図３（ｂ）のＢ−Ｂ線に沿った断面図、（ｂ）及び（ｃ）は、それぞれ図（ａ）のＣ及びＤの拡大図である。
【００１５】
本実施形態のタブレットケース１は、薬品、栄養補助食品、菓子等、タブレット状に構成された収容物を多数収容する収容体２と、この収容体２に対して相対的にスライド移動可能な蓋体２０とを備えている。
【００１６】
前記収容体２は、一対の側壁３、前後壁４，５、及び底面６によって囲まれた矩形形状の収容部２Ａを備えており、前記蓋体２０は、前記収容部２Ａを覆う天板２１と、前記一対の側壁３に面接してスライドする一対の側壁２２と、を備えた断面略コの字型に形成されている。これらは、いずれも合成樹脂を射出成型することによって、一体形成することが可能である。
【００１７】
前記収容体２の後壁５の中央には、後方側に向けて突出する突部５ａが形成されており、蓋体２０を閉じた際、その両サイドの段部５ｂに、蓋体２０の一対の側壁２２の後方屈曲部２２ｂが位置して、面一状となり、蓋体２０の閉鎖位置が規制されるようになっている。
【００１８】
また、前記収容体２には、蓋体２０を開いた際、収容物の存在を許容する取り出し開口領域８が形成されている。この取り出し開口領域８は、本実施形態では、収容体２の収容部２Ａを構成する底面６と共に一体形成される略Ｌ字形状の仕切り９によって規定されている。具体的に、仕切り９は、それを構成する横壁９ａと縦壁９ｂによって囲まれる領域９ｃに収容物が移動することはなく、縦壁９ｂと収容体の側壁３と前壁４とで囲まれる領域（取り出し開口領域８）に、平面視で１粒程度の収容物が移動できるよう構成されている。なお、取り出し開口領域８は、高さ方向で、収容物が１粒程度、位置できるように底面６に対して底上げされた状態となっている。
【００１９】
前記収容体２と蓋体２０には、蓋体２０を収容体２に対して開方向にスライドした際、蓋体２０のスライド位置を規制する開放位置規制手段３０が設けられている。この開放位置規制手段は、蓋体２０の天板２１の裏面に一体形成される一対の突起３１と、収容体２の後壁５の突部５ａの上縁によって構成されており、蓋体２０を開放すべくスライドさせると、突起３１が後壁５の突部５ａの上縁に当て付いてその位置が規制されるようになっている。
【００２０】
そして、蓋体２０を開方向にスライドさせて、開放位置規制手段３０によって規制された状態では、天板２１の前縁２１ａは、前記仕切り９の横壁９ａと略一致するようになっており、前記取り出し開口領域８が開放された状態となる。
【００２１】
なお、前記突起３１を一対設けておき、各突起を、傾斜面３１ａと垂直壁３１ｂで形成しておくことにより、例えば、半球形状の突起と比較すると、成型時にヒケが発生し難くなる。すなわち、天板２１の表面に、ヒケの影響による窪みの発生を抑制することができ、外観の向上が図れるようになる。
【００２２】
また、前記収容体２と蓋体２０には、蓋体２０を収容体２に対して閉方向にスライドした際、蓋体２０の閉鎖位置を維持する閉鎖位置維持手段４０が設けられている。この閉鎖位置維持手段は、蓋体２０の天板２１の裏面に一体形成される一対の略半円状の突起４１と、前記仕切り９の横壁９ａの上縁によって構成されており、蓋体２０を閉鎖した際、突起４１が横壁９ａの上縁に当て付いて閉鎖位置が維持されて、蓋体２０が簡単に開かないようになっている。
【００２３】
なお、収容体２内の収容物が多い場合、蓋体２０の閉鎖時の固定維持力が低下する可能性もあるが、前記突起４１を一対設けておくことで、その固定維持力を高めることが可能となる。
【００２４】
前記収容体２の底面６には、取り出し開口領域８に向けて１粒の収容物を案内可能とする傾斜案内部１２ａが形成されている。この場合、本実施形態の傾斜案内部１２ａは、長手方向に沿って一体形成された２つのリブ１２によって構成されており、リブ１２の表面を傾斜させることで傾斜案内部１２ａを形成している。また、最終的に傾斜案内部１２ａは、取り出し開口領域８の部分で平坦部１２ｂに移行しており、傾斜案内部１２ａに沿って移動する収容物は、最終的に平坦部１２ｂ上に位置するようになっている。
【００２５】
平坦部１２ｂは、収容体２の上縁との間の距離Ｈが、収容される収容物の高さよりも若干長くなる位置、すなわち、１粒の収容物が詰まることなく移動できる位置に形成されており、最終的にこの平坦部１２ｂ上に、１粒の収容物が安定して位置付けられるようにしている。
【００２６】
なお、本実施形態では、収容体内の収容物を、前記平坦部１２ｂに移行させ易いように、更に、放射状のリブ１２Ａを形成しており、より容易に取り出し開口領域８に向けて収容物が移動し易いように構成されている。すなわち、一体形成されるリブの個数や方向性については、適宜変形することが可能である。
【００２７】
また、前記収容体２の両側壁３の表面には、開口領域側にフランジ３ｃを有する凹所３ｄが形成されている。この凹所３ｄは、蓋体２０をスライドさせる際、親指と人差し指の腹部を位置させる部分であり、この凹所３ｄを摘むことで、蓋体２０を容易にスライドできるようになっている。
【００２８】
このような凹所３ｄを形成しておくことで、指を凹所内に位置付けさせて、フランジ３ｃ部分によって、開口領域に存在している収容物に対する指の接触を抑制することが可能となり、衛生面での向上が図れるようになる。
【００２９】
上記した構成のタブレットケースによれば、収容物を取り出すべく、蓋体２０を収容体２に対してスライド移動し、開放位置規制手段３０による開放位置に停止させた際、取り出し開口領域８の平坦部１２ｂには、傾斜案内部１２ａによって１粒の収容物を位置させておくことが可能となる。すなわち、取り出し操作時において、開口部分に移動する収容物を、傾斜案内部１２ａによって１粒に制限することが可能となるため、収容体２を傾けたり、振ったりした際、複数の収容物が飛び出ることを防止することが可能となる。
【００３０】
また、上記した構成では、傾斜案内部１２ａ及び平坦部１２ｂを、複数のリブ１２（１２Ａ）によって形成しているため、取り出し開口領域に１粒の収容物を移行させる構造が簡略化されると共に、成型用の材料を少なくすることが可能となる。
【００３１】
以上、本発明の実施形態について説明したが、本発明は、上記した実施形態に限定されることはなく、種々変形することが可能である。例えば、上記した傾斜案内部１２ａ、及び平坦部１２ｂについては、リブではなく、収容体２の底面６そのものによって形成しても良い。また、取り出し開口領域８を形成する仕切り９の形状についても適宜変形することが可能である。
【図面の簡単な説明】
【００３２】
【図１】本発明に係るタブレットケースの一実施形態を示す図であり、全体構成を示す斜視図。
【図２】収容体の構成を示す図であって、（ａ）は平面図、（ｂ）は側面図、（ｃ）は図（ａ）のＡ−Ａ線に沿った断面図。
【図３】蓋体の構成を示す図であって、（ａ）は側面図、（ｂ）は裏面図、（ｃ）は正面図。
【図４】蓋体の構成を示す図であって、（ａ）は図３（ｂ）のＢ−Ｂ線に沿った断面図、（ｂ）及び（ｃ）は、それぞれ図（ａ）のＣ及びＤの拡大図。
【符号の説明】
【００３３】
１  タブレットケース
２  収容体
８  取り出し開口領域
９  仕切り
１２，１２Ａ  リブ
１２ａ  傾斜案内部
１２ｂ  平坦部
２０  蓋体
２１  天板
３０  開放位置規制手段
【図１】
0005219250.tif 000002
【図２】
0005219250.tif 000003
【図３】
0005219250.tif 000004
【図４】
0005219250.tif 000005